(57)【要約】ＴＣＰ／ＩＰネットワーク（２）内のマシン（１）が、少なくとも一つの携帯電話ネットワーク加入者パラメータの問合せまたは変更に関する要求を行う。本発明のシステムは、なされた要求を受信するための手段（５）、および該要求に含まれ、該要求を処理しうるために必要なパラメータを抽出するための手段（５）を有することを特徴とする。さらに、本発明のシステムは、いろいろな携帯電話ネットワーク加入者（３）に関する少なくとも一つのパラメータの記憶手段（７）、およびなされた要求が前記記憶パラメータに関する問合せである場合に該パラメータに関する情報を得て送信するために、なされた要求に対する応答を送信するための手段（５）、を有することを特徴とする。本発明のシステムは、なされた要求が記憶手段（７）に存在しない場合に前記携帯電話ネットワーク（３）に要求を行うために、前記要求を前記携帯電話ネットワーク（３）が処理するのに必要な携帯電話ネットワークパラメータを得るための手段（６、８、９、および１０）を有する。本発明のシステムは、マシン（１）を通じて、ネットワーク（３）加入者に関する問合せまたは変更を行うことを可能にする。【選択図】図１
2005505213.tif 000002
【特許請求の範囲】
【請求項１】
ＴＣＰ／ＩＰネットワークから携帯電話ネットワーク加入者情報にアクセスするためのシステムであって、
携帯電話ネットワーク（３）加入者が、少なくとも一つの携帯電話ネットワーク（３）加入者パラメータの問合せまたは変更に関する要求を行うために、ＴＣＰ／ＩＰネットワーク（２）内のマシン（１）にアクセスするサービスにアクセスし、前記マシン（１）が前記要求を前記携帯電話ネットワークに送信するようなシステムにおいて、
ＴＣＰ／ＩＰネットワーク内の前記マシンによってなされた要求を受信するための手段（５）、および該要求に含まれ、該要求を処理するために必要なパラメータを抽出するための手段（５）を有し、
さらに、いろいろな携帯電話ネットワーク加入者各自に関する少なくとも一つのパラメータの記憶手段（７）、およびなされた要求が前記少なくとも一つの記憶パラメータに関する問合せである場合に該パラメータに関する情報を得てＴＣＰ／ＩＰネットワーク内のマシンに送信するための、なされた要求に対する応答を送信するための手段（５）、を有し、
なされた要求が、いろいろな携帯電話ネットワーク加入者に関する少なくとも一つのパラメータの記憶手段（７）に存在しない場合に前記携帯電話ネットワーク（３）に要求を行うために、前記携帯電話ネットワーク（３）が前記要求を処理するのに必要な携帯電話ネットワークパラメータを得るための手段を有し、
このすべてが、ＴＣＰ／ＩＰネットワーク（２）のマシン（１）が前記システムを通常のデータベースと見るようなやり方で実行される、
ことを特徴とするシステム。
【請求項２】
請求項１に記載の、ＴＣＰ／ＩＰネットワークから携帯電話ネットワーク加入者情報にアクセスするためのシステムであって、
前記携帯電話ネットワークが前記要求を処理するのに必要な携帯電話ネットワークパラメータを得るための手段が、要求管理モジュール（６）を有し、
該モジュールによって、なされた要求がいろいろな携帯電話ネットワーク加入者に関する少なくとも一つのパラメータの記憶手段（７）によって処理できなかったことが検出された場合、該検出後に、該モジュールが、携帯電話ネットワークメッセージに関する通常のルート指定取得メッセージを生成して、当該加入者が登録されている携帯電話ネットワークのノードにアクセスし、それに応答して、該ノードが、必要なパラメータの部分を含むルート指定パラメータを送信して、前記要求が該形態電話ネットワークによって処理されうるようにする、
ことを特徴とするシステム。
【請求項３】
請求項２に記載の、ＴＣＰ／ＩＰネットワークから携帯電話ネットワーク加入者情報にアクセスするためのシステムであって、
前記携帯電話ネットワークが前記要求を処理できるように、必要な携帯電話ネットワークパラメータを得るための手段が、さらに、メッセージ作成・送信モジュール（８）を有し、また前記携帯電話ネットワークへのメッセージを受信して分析し、前記携帯電話ネットワークへのいろいろな信号を送信および受信するモジュール（９）を有する、
ことを特徴とするシステム。
【請求項４】
請求項２に記載の、ＴＣＰ／ＩＰネットワークから携帯電話ネットワーク加入者情報にアクセスするためのシステムであって、
携帯電話ネットワーク内のメッセージの前記ルート指定取得メッセージが、携帯電話ネットワークＨＬＲノード（ホームロケーションレジスター；携帯電話ネットワーク加入者の集団のデータレジスター）にアクセスする短メッセージのためのルート指定取得メッセージ（ｓｒｉｆｓｍ）であり、
前記システムのアドレスが、前記ＨＬＲが前記システムに前記パラメータを送信するために、設定されている、
ことを特徴とするシステム。
【請求項５】
請求項５に記載の、ＴＣＰ／ＩＰネットワークから携帯電話ネットワーク加入者情報にアクセスするためのシステムであって、
携帯電話ネットワークパラメータを得るための手段が、当該携帯電話ネットワークに存在する機構によって、これらのパラメータを直接受信する、
ことを特徴とするシステム。
【請求項６】
請求項５に記載の、ＴＣＰ／ＩＰネットワークから携帯電話ネットワーク加入者情報にアクセスするためのシステムであって、
前記携帯電話ネットワークが前記要求を処理できるように、必要な携帯電話ネットワークパラメータを得るための手段が、得られたパラメータから、当該加入者が登録されている携帯電話ネットワークノードにアクセスする許可とともに、携帯電話ネットワークノードの識別点を得て、当該加入者が登録されているネットワークの前記ノード内の少なくとも一つの携帯電話ネットワークパラメータを、携帯電話ネットワークパラメータを得るための前記手段から、問合せまたは変更することができるようにする、
ことを特徴とするシステム。
【請求項７】
請求項６に記載の、ＴＣＰ／ＩＰネットワークから携帯電話ネットワーク加入者情報にアクセスするためのシステムであって、
携帯電話ネットワークパラメータを得るための手段によって得られる携帯電話ネットワークノードの前記識別点が、加入者が登録されているＶＬＲ（ビジターロケーションレジストリ）の識別点である、
ことを特徴とするシステム。
【請求項８】
請求項１に記載の、ＴＣＰ／ＩＰネットワークから携帯電話ネットワーク加入者情報にアクセスするためのシステムであって、
ＴＣＰ／ＩＰネットワーク内のマシンによってなされる要求を受信するための手段と該要求を処理するために必要なパラメータを抽出する手段とが、少なくとも一つのプロトコルインタフェース（５）によって決定される、
ことを特徴とするシステム。
【請求項９】
請求項８に記載の、ＴＣＰ／ＩＰネットワークから携帯電話ネットワーク加入者情報にアクセスするためのシステムであって、
ＴＣＰ／ＩＰネットワークで使用される異なるプロトコルにしたがってパラメータを受信し、抽出するために、プロトコルインタフェースがＴＣＰ／ＩＰネットワークに用意されているプロトコルの各々に対して用意される、
ことを特徴とするシステム。
【請求項１０】
請求項２に記載の、ＴＣＰ／ＩＰネットワークから携帯電話ネットワーク加入者情報にアクセスするためのシステムであって、
要求管理モジュール（６）が、パラメータ抽出手段（５）によって与えられるパラメータを集める要求制御モジュール（１１）を有し、また要求管理モジュール（６）が、プロトコルインタフェース（５）モジュールに、なされた要求に対する応答を送信するための手段を有し、
要求管理モジュール（６）が、さらに、いろいろな携帯電話ネットワーク加入者に関する少なくとも一つのパラメータの記憶手段（７）に対する要求のためのモジュール（１２）を、前記要求が前記少なくとも一つのパラメータに対する問合せであった場合に前記少なくとも一つのパラメータを得るために、有する、
ことを特徴とするシステム。
【請求項１１】
請求項１０に記載の、ＴＣＰ／ＩＰネットワークから携帯電話ネットワーク加入者情報にアクセスするためのシステムであって、
前記要求管理モジュールが、前記要求制御モジュール（１１）から要求命令を受信したとき、携帯電話ネットワークに対して該要求をなすための、携帯電話ネットワークに対する要求のためのモジュール（１３）をも有し、該モジュールが、該要求を携帯電話ネットワークに対するメッセージの作成と送信のためのモジュール（８）によって、実行する、
ことを特徴とするシステム。
【請求項１２】
請求項１から１１の中のいずれか１つに記載の、ＴＣＰ／ＩＰネットワークから携帯電話ネットワーク加入者情報にアクセスするためのシステムであって、
いろいろな携帯電話ネットワーク加入者に関する少なくとも一つのパラメータの記憶手段（７）が、好ましくは、ある期間にわたって、問合せまたは変更された加入者パラメータを記憶する、
ことを特徴とするシステム。
【請求項１３】
請求項１から１２の中のいずれか１つに記載の、ＴＣＰ／ＩＰネットワークから携帯電話ネットワーク加入者情報にアクセスするためのシステムであって、
前記システムが正しく機能するのに必要な構成データを記憶している構成ディレクトリ（１０）を有する、
ことを特徴とするシステム。
【請求項１４】
請求項１から１３の中のいずれか１つに記載の、ＴＣＰ／ＩＰネットワークから携帯電話ネットワーク加入者情報にアクセスするためのシステムであって、
ＴＣＰ／ＩＰネットワーク内のマシンによって送信されるパラメータが、いろいろな携帯電話ネットワーク加入者に関する少なくとも一つのパラメータの記憶手段にアクセスするか、または当該携帯電話ネットワークに直接アクセスするかに関する情報を含む、
ことを特徴とするシステム。
【請求項１５】
ＴＣＰ／ＩＰネットワークから携帯電話ネットワーク加入者情報にアクセスするための方法であって、
携帯電話ネットワーク加入者が、当人の携帯電話によってサービスにアクセスし、すると、該サービスが、少なくとも一つの携帯電話ネットワークパラメータの問合せまたは変更に関する要求を行うために、ＴＣＰ／ＩＰネットワーク内のマシンにアクセスし、該マシンが前記要求を前記携帯電話ネットワークに送信するような方法において、
前記マシンによってなされた前記要求に含まれる前記パラメータが、前記マシンによってなされた要求から抽出され、
なされた要求が前記少なくとも一つの記憶パラメータに関する問合せである場合、前記パラメータに関する情報を得てＴＣＰ／ＩＰネットワーク内の前記マシンに送信するために、携帯電話ネットワーク加入者に関する少なくとも一つのパラメータの記憶手段に、選択的にアクセスするか、または、
なされた要求がいろいろな携帯電話ネットワーク加入者各自に関する少なくとも一つのパラメータの記憶手段内に存在しない場合、前記携帯電話ネットワークにアクセスするかする、
ことを特徴とする方法。
【請求項１６】
請求項１５に記載の、ＴＣＰ／ＩＰネットワークから携帯電話ネットワーク加入者情報にアクセスするための方法であって、
携帯電話ネットワークにアクセスするために、携帯電話ネットワークパラメータがＳＭＳＣ（短メッセージサービスセンター）の識別点を獲得することによって得られ、それによって、短メッセージのためのルート指定取得メッセージ（ｓｒｉｆｓｍ）が、携帯電話ネットワークＨＬＲノード（ホームロケーションレジスター）にアクセスするために、生成され、前記システムのアドレスを前記ｓｒｉｆｓｍ信号に設定し、前記ＨＬＲノードが前記システムに前記パラメータを送信することによって、応答し、前記システムは、前記パラメータを受信して、該パラメータから、携帯電話ネットワーク加入者が登録されているＶＬＲノード（ビジターロケーションレジスター）の識別点を獲得して、前記ＨＬＲノード内の携帯電話ネットワークの少なくとも一つのパラメータの問合せまたは変更が可能になるようにする、
ことを特徴とする方法。
【請求項１７】
請求項１６に記載の、ＴＣＰ／ＩＰネットワークから携帯電話ネットワーク加入者情報にアクセスするための方法であって、
ＶＬＲノードの識別点を獲得するために、ＨＬＲからすでに受信されている、加入者が登録されているＶＬＲのアドレスを、ＭＡＰ（携帯アプリケーション部分）プロトコル水準で送信し、なされた要求に対する応答を送信すべきアドレスを、ＳＣＣＰ（信号接続制御部分）プロトコルのエリア内に送信し、前記マシンに送信される、なされた要求に関する結果を、ＴＣＰ／ＩＰネットワーク内に送信する、
ことを特徴とする方法。
【請求項１８】
請求項１５に記載の、ＴＣＰ／ＩＰネットワークから携帯電話ネットワーク加入者情報にアクセスするための方法であって、
前記要求が前記携帯電話ネットワークで処理できるように、必要な携帯電話ネットワークパラメータを得ることが、該携帯電話ネットワーク内に存在する機構によって直接実行される、
ことを特徴とする方法。
【発明の詳細な説明】
【技術分野】
【０００１】
本発明は、ＴＣＰ／ＩＰネットワークから携帯電話ネットワーク加入者情報にアクセスするためのシステムと方法から成る。本発明の目的は、携帯電話ネットワーク自身のアプリケーションとは異なるネットワークアプリケーションによって、携帯電話ネットワークに含まれる加入者情報にリアルタイムでアクセスすることを可能にすることであり、しかも、このアクセスは、通常のデータベースにアクセスする作業であるかのように、加入者にとって簡単なやり方で実行される。
【背景技術】
【０００２】
携帯電話ネットワークにおいては、加入者情報がＨＬＲ（ホームロケーションレジスター；携帯サービスユーザーの集団のデータレジスター）と呼ばれる、該ネットワークのノードに記憶されている。ネットワークユーザーデータは、そのようなノード、たとえばＩＭＳＩ（国際携帯加入者識別）、ＭＳＩＳＤＮ（Ｅ．１６４ナンバーリングプランによる携帯ステーション国際ＩＳＤＮ番号）、およびＶＬＲ（ビジターロケーションレジスター）に記憶され、このノードは新しいユーザーが新しいエリアに入るたびに更新されている。
【発明の開示】
【発明が解決しようとする課題】
【０００３】
携帯電話ネットワーク自身のアプリケーションとは異なるネットワークアプリケーション（ネットワーク要素）によって、ＨＬＲ内の情報にリアルタイムアクセスすることが、ますます必要になってきている。現在、外部ネットワーク特にＴＣＰ／ＩＰネットワークからのこの情報へのアクセスのやり方は、すべての加入者パラメータをＨＬＲに伝えるインタフェースである、インタフェースとＯ＆Ｍとを備えることによるものであるが、これは多数の要求をリアルタイムで処理することができないという欠点を有する。
【０００４】
現在の技術においては、プロトコルコンバータによってこの情報にアクセスすることも公知であるが、このコンバータはメッセージを一つのプロトコルからもう一つのプロトコルに変換するだけなので、当該ネットワークがどのような方法にしたがっているかを知る必要がある。
【課題を解決するための手段】
【０００５】
前記欠点を除去するために、本発明においては、ＴＣＰ／ＩＰネットワークから携帯電話ネットワーク加入者情報にアクセスするための新しいシステムと方法であって、携帯電話ネットワーク加入者が、少なくとも一つの携帯電話ネットワーク加入者パラメータの問合せ（ｃｏｎｓｕｌｔａｔｉｏｎ）または変更に関する要求を行うために、ＴＣＰ／ＩＰネットワーク内のマシンにアクセスするサービスにアクセスし、前記マシンが前記要求を前記携帯電話ネットワークに送信するようなシステムと方法を開発した。
【０００６】
本発明のシステムは、ＴＣＰ／ＩＰネットワーク内の前記マシンによってなされた要求を受信するための手段、および該要求に含まれ、該要求を処理するために必要なパラメータを抽出するための手段を有することを特徴とする。
【０００７】
さらに、本発明のシステムは、いろいろな携帯電話ネットワーク加入者に関する少なくとも一つのパラメータの記憶手段、およびなされた要求（ｔｈｅ  ｒｅｑｕｅｓｔ  ｍａｄｅ）が前記少なくとも一つの記憶パラメータに関する問合せである場合に該パラメータに関する情報を得てＴＣＰ／ＩＰネットワーク内のマシンに送信するための、なされた要求に対する応答を送信するための手段、を有する。
【０００８】
したがって、本発明のシステムによれば、携帯電話ネットワークにアクセスする必要なしで、該システムが問合せを直接実行することができる。
【０００９】
本発明のシステムのもう一つの基本的な特徴は、なされた要求が、いろいろな携帯電話ネットワーク加入者に関する少なくとも一つのパラメータの記憶手段に存在しない場合に前記携帯電話ネットワークに要求を行うために、前記要求を前記携帯電話ネットワークが処理するのに必要な携帯電話ネットワークパラメータを得るための手段を有するということである。
【００１０】
前記携帯電話ネットワークが前記要求を処理するのに必要な携帯電話ネットワークパラメータを得るための手段は、要求管理モジュールを有し、該モジュールによって、なされた要求がいろいろな携帯電話ネットワーク加入者に関する少なくとも一つのパラメータの記憶手段によって処理できなかったことが検出された場合、該検出後に、該モジュールが、携帯電話ネットワークメッセージに関する通常のルート指定取得メッセージを生成して、当該加入者が登録されている携帯電話ネットワークのノードにアクセスし、生成メッセージに応答して、該ノードが、必要なパラメータの部分を含むルート指定パラメータを送信して、前記要求が該形態電話ネットワークによって処理されうるようにする。
【００１１】
さらに、前記携帯電話ネットワークが前記要求を処理するのに必要な携帯電話ネットワークパラメータを得るための手段は、メッセージ作成・送信モジュールを有し、また前記携帯電話ネットワークへのメッセージを受信して分析し、前記携帯電話ネットワークへのいろいろなメッセージを送信および受信するモジュールを有する。
【００１２】
本発明の一つの実施形態においては、携帯電話ネットワーク内のメッセージの前記ルート指定取得メッセージが、携帯電話ネットワークＨＬＲノードにアクセスする短メッセージのためのルート指定取得メッセージ（ｓｒｉｆｓｍ）である。本発明のシステムは、このメッセージに、該システムのアドレスを、前記ＨＬＲが前記システムに必要な携帯電話ネットワークパラメータを送信して該システムにアクセスするために、設定する。したがって、本発明のシステムは、ｓｒｉｆｓｍ信号を生成することにより、それ自身が短メッセージサービスセンター（ＳＭＳＣ）となり、それによって、ＨＬＲノードは、アクセスを許容し、そのアクセスに応答して、前記ネットワークにアクセスするのに必要なパラメータの一部を前記システムに送信する。
【００１３】
本発明のもう一つの実施形態においては、携帯電話ネットワークパラメータを得るための手段が、当該携帯電話ネットワーク自身にすでに備えられていている機構によって、これらのパラメータを直接受信する。
【００１４】
さらに、前記携帯電話ネットワークが前記要求を処理できるように、必要な携帯電話ネットワークパラメータを得るための手段は、本発明のシステムによって得られたパラメータから、当該加入者が登録されている携帯電話ネットワークノードにアクセスする許可（ａｕｔｈｏｒｉｔｙ）とともに、携帯電話ネットワークノードの識別点（identity）を得て、当該加入者が登録されているネットワークの前記ノード内の少なくとも一つの携帯電話ネットワーク加入者パラメータを、携帯電話ネットワークパラメータを得るための前記手段から、問合せまたは変更することができるようにする。
【００１５】
一つの実施形態においては、携帯電話ネットワークパラメータを得るための手段によって得られる携帯電話ネットワークノードの前記識別点が、加入者が登録されているＶＬＲの識別点である。
【００１６】
ＴＣＰ／ＩＰネットワーク内のマシンによってなされる要求を受信するための手段と該要求を処理するために必要なパラメータを抽出する手段は、少なくとも一つのプロトコルインタフェース（５）によって決定される。
【００１７】
本発明の一つの実施形態においては、ＴＣＰ／ＩＰネットワークで使用される異なるプロトコルにしたがってパラメータを受信し、抽出するために、プロトコルインタフェースがＴＣＰ／ＩＰネットワークに用意されているプロトコルの各々に対して用意される。
【００１８】
要求管理モジュールは、パラメータ抽出手段によって与えられるパラメータを集める要求制御モジュールを有し、また要求管理モジュールは、プロトコルインタフェースモジュールに、なされた要求に対する応答を送信するための手段を有する。さらに、要求管理モジュールは、いろいろな携帯電話ネットワーク加入者に関する少なくとも一つのパラメータの記憶手段に対する要求のためのモジュールを、該要求が前記少なくとも一つのパラメータに対する問合せであった場合に前記少なくとも一つのパラメータを得るために、有する。
【００１９】
ここで述べておくべきことは、前記要求管理モジュールが、前記要求制御モジュールから要求命令を受信したとき、携帯電話ネットワークに対して該要求をなすための、携帯電話ネットワークに対する要求のためのモジュールをも有し、該要求が携帯電話ネットワークに対するメッセージの作成と送信のための手段によって実行される、ということである。
【００２０】
本発明の一つの実施形態においては、問合せまたは変更された加入者パラメータが、いろいろな携帯電話ネットワーク加入者に関する少なくとも一つのパラメータの記憶手段に記憶される。この記憶は、ある所定の期間内にわたって維持される。
【００２１】
正しいシステム機能を得るために、本発明のシステムは、システムの正しい機能のために必要な構成データを記憶している構成ディレクトリ（ｃｏｎｆｉｇｕｒａｔｉｏｎ
ｄｉｒｅｃｔｏｒｙ）を有する。
【００２２】
ＴＣＰ／ＩＰネットワーク内のマシンによって送信されるパラメータが、いろいろな携帯電話ネットワーク加入者に関する少なくとも一つのパラメータの記憶手段にアクセスすべきか、または当該携帯電話ネットワークに直接アクセスすべきかに関する情報を含み、要求制御モジュールが、要求パラメータの抽出後、どこに要求すべきかを知るようにすることができる。
【００２３】
前述のように、明らかに、なされた要求が、いろいろな携帯電話ネットワーク加入者に関する少なくとも一つのパラメータの記憶手段にアクセスすべきか、または当該携帯電話ネットワークに直接アクセスすべきかに関する情報を含まない場合には、要求管理モジュールは、まず、いろいろな携帯電話ネットワーク加入者に関する少なくとも一つのパラメータの記憶手段にアクセスし、これらの手段から情報を得ることができない場合には、次に、前述のように、当該携帯電話ネットワークにアクセスする。
【００２４】
上で開示したシステムから、
ＴＣＰ／ＩＰネットワーク内のマシンによってなされた要求から、該要求に含まれるパラメータが抽出され、
なされた要求が前記少なくとも一つの記憶パラメータに関する問合せである場合、前記パラメータに関する情報を得てＴＣＰ／ＩＰネットワーク内の前記マシンに送信するために、いろいろな携帯電話ネットワーク加入者に関する少なくとも一つのパラメータの記憶手段に、選択的にアクセスするか、または、
なされた要求がいろいろな携帯電話ネットワーク加入者に関する少なくとも一つのパラメータの記憶手段内に存在しない場合、前記携帯電話ネットワークにアクセスするかする、
ことを特徴とする方法が導かれる。
【００２５】
携帯電話ネットワークにアクセスするために、携帯電話ネットワークパラメータがＳＭＳＣの識別点を獲得することによって得られ、それによって、短メッセージのためのルート指定取得メッセージ（ｓｒｉｆｓｍ）が、携帯電話ネットワークＨＬＲノードにアクセスするために、生成され、前記システムのアドレスを前記ｓｒｉｆｓｍメッセージに設定し、前記ＨＬＲノードが前記システムに前記パラメータを送信することによって、応答し、前記システムは、前記パラメータを受信して、該パラメータから、携帯電話ネットワーク加入者が登録されているＶＬＲノードの識別点を獲得して、前記ＨＬＲノード内の携帯電話ネットワークの少なくとも一つのパラメータの問合せまたは変更が可能になる。
【００２６】
ＶＬＲノードの識別点を獲得するために、ＨＬＲからすでに受信されている、加入者が登録されているＶＬＲのアドレスを、ＭＡＰプロトコル水準（携帯アプリケーション部分；これは、携帯電話ネットワークによるメッセージの呼出しと送信とを首尾よく実行するために、メッセージを使用する標準化プロトコルである）、およびＳＣＣＰプロトコル（信号接続制御部分）の範囲内で送信し、なされた要求に対する応答を送信すべきアドレスを設定し、前記マシンに送信される、なされた要求に関する結果を、ＴＣＰ／ＩＰネットワーク内に送信する。ＳＣＣＰプロトコルは、ＳＳ７信号化（信号化システム番号７；携帯電話ネットワーク交換センター間の接続を制御・監視するのに必要な情報の交換のために携帯電話ネットワーク交換センターが使用する信号化システム）により、システム内の個別のセンターと中央ステーションとの間の情報伝送のために使用される標準化プロトコルである。
【００２７】
やはりここで述べておくべきことは、前記要求が前記携帯電話ネットワークで処理できるように、必要な携帯電話ネットワークパラメータを得ることが、該携帯電話ネットワーク内に存在する機構によって直接実行される、ということである。
【発明の効果】
【００２８】
したがって、本発明システムと方法とにより、携帯電話ネットワークの少なくとも一つのパラメータの問合せと変更とが、該携帯電話ネットワーク加入者にわずらわしい思いをさせることなくリアルタイムで実行される。本発明のシステムと方法とによれば、ＴＣＰ／ＩＰマシンが、通常のデータベースへのアクセスであるかのようにアクセスを実行するからである。
【発明を実施するための最良の形態】
【００２９】
本明細書の記述がさらに十分に理解できるように、本明細書の一部として、一組の図面を添付する。これらの図面は、本発明の対象を示すが、説明のためだけのものであり、限定を意図しない。
【００３０】
以下、添付の図面に即して本発明を説明する。
【００３１】
公知のように、携帯電話ネットワーク３の加入者は、少なくとも一つの加入者パラメータの問合せまたは変更に関する要求を行うために、ＴＣＰ／ＩＰネットワーク２内のマシン１にアクセスするサービスにアクセスする。たとえば、携帯電話ネットワークが提供するサービスの一つである問合せまたは変更に関する要求ができるが、背景技術の節で述べたように、これはリアルタイムでは実行されず、また多数の要求は受けつけない。
【００３２】
リアルタイムアクセスを可能にするために、本発明のシステム４は、ＴＣＰ／ＩＰネットワークのプロトコルの各々に対するプロトコルインタフェース５を有し、該システムがネットワーク２で使用されているどのプロトコルでも理解されるようになっている。そのために、ＴＣＰ／ＩＰネットワーク２で使用されているプロトコルの各々に対するプロトコルインタフェース５が備えてある。
【００３３】
プロトコルインタフェース５は要求管理モジュール６に接続され、該モジュールはキャッシュメモリ７、メッセージ作成・送信モジュール８、およびメッセージ受信・分析モジュール９に接続されている。システムが正しく機能するように、構成ディレクトリ１０が備えてあり、これは、必要な構成データがシステム４の正しい機能のために記憶されているデータベースである。
【００３４】
ネットワーク２で使用されているプロトコルに対応するプロトコルインタフェース５は、要求から、該要求の処理に必要なパラメータに関する情報を抽出して、該情報を、要求管理モジュール６に渡す。さらに、プロトコルインタフェース５は対応するプロトコルで応答を作成して、該応答をＴＣＰ／ＩＰネットワーク１のマシンに送信しなければならない。
【００３５】
本発明の好ましい実施形態の場合、携帯電話ネットワーク加入者がアクセスしているサービスから受信される、マシン１によってなされた要求の内容は、下記のパラメータを含む。
−要求受信装置識別子、すなわちシステム４識別子。
−要求発信装置識別子、すなわち要求に使用されるマシン１の識別子。
−要求を応答に関係づけるのに必要な要求識別子。
−要求の対象になっている加入者。
−実行するのが望ましい動作（たとえば、追加（ｓｕｐｐｌｅｍｅｎｔａｒｙ）サービスにおける加入者パラメータの問合せまたはパラメータの変更）。
−当該要求がまずキャッシュメモリ７に問い合わせることによってなされたか、または直接に携帯電話ネットワーク３に対してなされたか。
−実行すべき動作に応じて必要な一つ以上のパラメータ。たとえば、問合せ動作を意図する場合、必要なパラメータは、問い合わされるパラメータであり、このときキャッシュ７に向うか、携帯電話ネットワーク３に直接向うかの指示がつけられる。あるいは、追加サービスパラメータ変更の実行を望む場合、どの追加サービスパラメータを変更すべきかの指示がつけられる。
【００３６】
キャッシュメモリ７は、問合せまたは変更される加入者データを記憶するデータベースであり、本発明の一つの実施形態においては、このキャッシュメモリはツリー構造のデータモデルを有し、さらに、要求がなされるたびに、データは更新され、ある期間わたって記憶される。すなわち、この記憶は所定の期限を有する。
【００３７】
たとえば、なされる問合せが、まずキャッシュメモリ７で実行すべきであると指示されている場合、要求管理モジュール６は、キャッシュメモリ７にアクセスして、要求されたパラメータのデータを得て、応答を対応するプロトコルインタフェースに送り、前述のように、該インタフェースが前記応答をＴＣＰ／ＩＰネットワーク２のマシン１に送信する。すると、マシン１は問合せの結果を、該問合せを実行しているサービスに送る。
【００３８】
この機能の実行のために、要求管理モジュール６は、前述のアクセスが可能になるように、キャッシュメモリ７に対する要求のためのモジュール１２を通じてキャッシュメモリ７に接続されている要求制御モジュール１１を有する。
【００３９】
キャッシュ７にアクセスしたときに、問い合わすべきパラメータが見つからない場合、または加入者が送信する前述の各種パラメータが、要求を行うために携帯電話ネットワークに直接アクセスすることを指示している場合には、このことが要求制御モジュール１１によって検出される。要求制御モジュール１１は、要求管理モジュール６の一部をなし（図２）、携帯電話ネットワークに対する要求のためのモジュール１３に命令を送る。
【００４０】
加入者の要求を処理するために携帯電話ネットワーク３にアクセスする必要が起こった場合には、要求モジュール１３はメッセージ作成・送信モジュール８により携帯電話ネットワーク３に要求をなさなければならない。モジュール８は、携帯電話ネットワークにアクセスするために、要求モジュール１３によって指示されたメッセージを作成して、送信する。
【００４１】
要求制御モジュール１１が要求モジュール１３に携帯電話ネットワーク３への要求をなせという命令を送り、そのために必要な情報（要求の対象となる加入者、実行すべき動作、要求を処理するために必要なパラメータ）を提供すると、携帯電話ネットワーク３への問合せが開始される。
【００４２】
携帯電話ネットワーク３への要求を行うためには、該ネットワーク３に含まれる情報にアクセスできるように、該ネットワーク３のパラメータを得る必要がある。そのために、システム４はｓｒｉｆｓｍメッセージ（短メッセージのための送信ルート指定情報）送信によりＳＭＳＣの識別点を獲得する。ｓｒｉｆｓｍメッセージは、ＨＬＲに問い合わせるためにＳＭＳＣに対して普通に使用されるメッセージである。ＨＬＲは、短メッセージのためのルート指定情報を得ることにより、受信メッセージに応答する。
【００４３】
ここで述べておくべきことは、携帯電話ネットワークにｓｒｉｆｓｍメッセージを送信することにより、携帯性（ｐｏｒｔａｂｉｌｉｔｙ）が該ネットワークによる問合せを受けるということ、すなわち、加入者が他のネットワークからのものであるかどうかを識別することができるということである。このとき、本発明のシステムは、通常のように、ＳＴＰ（信号化伝送点）を通じてメッセージを送信する。ＳＴＰは、すべてのネットワーク信号（ｓｉｇｎａｌｉｎｇ）を伝送する責任を有し、したがって対応する目標、すなわち短メッセージに対するルート指定要求を処理することのできるＨＬＲ、にメッセージをルート指定する責任を有するネットワークノードである。
【００４４】
さらに、本発明のシステム４が、送信ｓｒｉｆｓｍメッセージに含まれるＳＭＳＣの識別点を獲得したあと、ネットワークパラメータに関するルート指定情報を受信することができるように、要求モジュール１３は、明らかに、構成ディレクトリ１０に記憶されている本発明のシステムのアドレスを、ＭＡＰレベル（課題を解決するための手段の節で述べたプロトコル）で設定し、当該ＨＬＲによって与えられる応答が本発明のシステム４に直接送られるようにする必要がある。
【００４５】
応答メッセージは、メッセージ受信・分析モジュール９によって集められる。該モジュールは、加入者データが記憶されているＶＬＲ、ＩＭＳＩ、およびＨＬＲネットワークパラメータを得て、このデータを、要求管理モジュール１３に渡す。該モジュールは、受信情報を処理したあと、当該携帯電話ネットワークへの問合せを実行する。この動作は、加入者の要求を処理できる該動作を実行する許可により、ネットワークノードが該動作を実行していると、ネットワーク３が解釈するように、該ネットワークを欺くことによって実行される。したがって、ＵＬ（更新ロケーション）ＭＡＰプロトコル動作を実行する必要がある。ＵＬは、加入者の位置の更新のために使用されるメッセージであり、該メッセージは、ＨＬＲが、位置を更新する加入者の情報をＶＬＲに戻すようにするものである。この動作の実行のためには、本発明のシステム４が、加入者が記憶されているＶＬＲをシミュレートする必要がある。したがって、メッセージ作成・送信モジュール８に、先行ステップで得られた、ＵＬ実行のための動作に関する情報、当該ＶＬＲのアドレス、加入者のＩＭＳＩ、および当該動作が送信されなければならないＨＬＲが、送信される。
【００４６】
ネットワーク３が、ＶＬＲが実際に当該動作を実行していると解釈するようにするためには、ＶＬＲアドレスがＭＡＰプロトコルレベルに設定され、また本発明のシステム４のアドレスがＳＣＣＰプロトコルレベルに設定されて、当該ネットワークが、動作が実際のＶＬＲによって実行されていると解釈し、それにもかかわらず当該ネットワークが本発明のシステム４に対して応答を送信すべきであると解釈するようにする必要がある。このようにして、ＨＬＲは、システム４に応答を送信することによって、なされた要求を処理する。この応答は、配信されるパラメータを得て、該パラメータを要求管理モジュール６に渡す、メッセージ受信・分析モジュール９によって集められたものである。たとえば、ＴＣＰ／ＩＰマシンが加入者パラメータの要求の代わりに追加サービスの変更を要求した場合、ｓｒｉｆｓｍメッセージから前述のパラメータを得たあと、ＭＡＰプロトコルＵＬ動作を実行する代わりに、加入者が実行を望む動作に応じて、追加サービスレジスターの消去、アクティブ（ａｃｔｉｖｅ）、またはデアクティブ（ｄｅａｃｔｉｖａｔｅ）動作が実行される。たとえば、加入者が追加サービスの登録を希望する場合、加入者は通常の登録ＳＳメッセージを送信し、追加サービスの消去を希望する場合には、消去ＳＳメッセージを送信し、追加サービスを実行させたい場合には、アクティブＳＳメッセージを送信し、あるいは実行させたくない場合には、デアクティブＳＳを送信する。
【００４７】
パラメータ問合せの要求がなされた場合、応答は要求されたパラメータの値に対応し、追加サービス変更の場合、応答は、該変更が正しく実行されたことの確認である。どちらの場合にも、前述のように、要求管理モジュール６は、応答を、当該要求をＴＣＰ／ＩＰネットワーク２で開始したプロトコルに対応するプロトコルインタフェース５に戻す。
【００４８】
以上のように、本発明によれば、少なくとも一つの携帯電話ネットワーク加入者パラメータの問合せまたは変更をリアルタイムで実行することができ、これらはすべて、通常のデータベースにアクセスするかのようにそれぞれのサービスに対してなされる。
【図面の簡単な説明】
【００４９】
【図１】携帯電話ネットワークとＴＣＰ／ＩＰネットワークに接続された、本発明のシステムの可能な実施形態の機能ブロック図である。
【図２】図１に示す要求管理モジュールの機能ブロック図である。
【符号の説明】
【００５０】
１  ＴＣＰ／ＩＰネットワーク内のマシン
２  ＴＣＰ／ＩＰネットワーク
３  携帯電話ネットワーク
４  本発明のシステム
５  プロトコルインタフェース
６  要求管理モジュール
７  キャッシュメモリ
８  メッセージ作成・送信モジュール
９  メッセージ受信・分析モジュール
１０  構成ディレクトリ
１１  要求制御モジュール
１２  キャッシュメモリ７に対する要求のためのモジュール
１３  携帯電話ネットワークに対する要求のためのモジュール
【国際公開パンフレット】
2005505213.tif 000003
2005505213.tif 000004
2005505213.tif 000005
2005505213.tif 000006
2005505213.tif 000007
2005505213.tif 000008
2005505213.tif 000009
2005505213.tif 000010
2005505213.tif 000011
2005505213.tif 000012
2005505213.tif 000013
2005505213.tif 000014
2005505213.tif 000015
2005505213.tif 000016
2005505213.tif 000017
2005505213.tif 000018
2005505213.tif 000019
2005505213.tif 000020
2005505213.tif 000021
2005505213.tif 000022
2005505213.tif 000023
2005505213.tif 000024
2005505213.tif 000025
2005505213.tif 000026
【国際公開パンフレット（コレクトバージョン）】
2005505213.tif 000027
2005505213.tif 000028
【国際調査報告】
2005505213.tif 000029
2005505213.tif 000030
2005505213.tif 000031
2005505213.tif 000032